(57)【要約】  小型化できるようにする。吸排気装置（２１）は、中圧側の吸排気口（３６ｄ）と低圧側の吸気口（３６ｂ）とが通気可、かつ吸排気口（３６ｄ）および吸気口（３６ｂ）と高圧側の排気口（３６ａ）とが通気不可となる吸気状態、吸排気口（３６ｄ）と排気口（３６ａ）とが通気可、かつ吸排気口（３６ｄ）および排気口（３６ａ）と吸気口（３６ｂ）とが通気不可となる排気状態に切り替え可能である。
2019234996.tif 000002
【特許請求の範囲】
【請求項１】
送風ファンを有し、前記送風ファンの回転により相対的な高圧領域、低圧領域および中圧領域が生じる、空気調和機の室内機に備えられ、
内部空間を有する筐体部を有し、前記筐体部に、前記高圧領域と通気できるように配置される排気口、前記低圧領域と通気できるように配置される吸気口、および前記中圧領域と通気できるように配置される吸排気口を有する状態切替え部材を備え、
前記状態切替え部材は、通常状態、吸気状態および排気状態に切り替え可能であり、
前記排気口、前記吸気口および前記吸排気口のうち、前記通常状態では、前記排気口、前記吸気口および前記吸排気口が互いに前記内部空間を通じて通気不可となり、前記吸気状態では、前記吸排気口および前記吸気口のみが前記内部空間を通じて互いに通気可となり、前記排気状態では、前記吸排気口および前記排気口のみが前記内部空間を通じて互いに通気可となることを特徴とする吸排気装置。
【請求項２】
前記状態切替え部材を駆動する駆動部と、
前記状態切替え部材が、前記通常状態、前記吸気状態または前記排気状態に切り替わるように、前記駆動部を制御する制御部とを備えていることを特徴とする請求項１に記載の吸排気装置。
【請求項３】
前記状態切替え部材は、
前記筐体部の内部に回転可能に設けられ、回転位置に応じて前記通常状態、前記吸気状態または前記排気状態を形成する回転切替え部材を備え、
前記駆動部は、前記回転切替え部材を回転させることを特徴とする請求項２に記載の吸排気装置。
【請求項４】
前記筐体部は、前記回転切替え部材の外周部と対向する位置に前記排気口および前記吸気口を有し、前記回転切替え部材の軸方向と交差する側面と対向する位置に前記吸排気口を有し、
前記回転切替え部材は、外周部に、前記排気口と前記吸気口とを個別に開閉する排気口・吸気口開閉部を有し、周方向の前記排気口・吸気口開閉部と隣り合う位置の前記側面に前記吸排気口を開閉する吸排気口開閉部を有し、回転切替え部材３４の内部を、前記排気口・吸気口開閉部および前記吸排気口開閉部が存在する領域と、前記吸排気口開閉部および前記吸排気口開閉部とが存在しない領域とに軸方向に仕切る仕切部を有していることを特徴とする請求項３に記載の吸排気装置。
【請求項５】
前記状態切替え部材は、
一端部が閉塞部である外筒部と、
前記外筒部の内側に嵌合し、前記外筒部に対して軸方向へ相対的にスライド動作が可能であり、外筒部の閉塞部と同じ側の端部が閉塞部である内筒部とを有し、
前記外筒部は、筒状の周壁部の軸方向へ互いにずれた位置に外筒吸気口と外筒排気口とを有し、
前記内筒部は、筒状の周壁部に内筒吸気口および内筒排気口を有し、軸方向の開放側の端部が吸排気口となっており、
前記外筒部と前記内筒部とは、前記外筒部を構成し、前記スライド動作により、前記通常状態では、前記外筒吸気口および外筒排気口が前記内筒部の外周面にて塞がれ、前記吸気状態では、前記外筒吸気口と前記内筒吸気口とが通気可となり、かつ外筒排気口が前記内筒部の外周面にて塞がれ、前記排気状態では、前記外筒排気口が前記内筒排気口と通気可となり、かつ前記外筒吸気口が前記内筒部の外周面にて塞がれ、
前記駆動部は、前記外筒部と前記内筒部との少なくとも一方を駆動し、前記スライド動作を行わせることを特徴とする請求項２に記載の吸排気装置。
【請求項６】
請求項１から５のいずれか１項に記載の吸排気装置を室内機に備えていることを特徴とする空気調和機。
【発明の詳細な説明】
【技術分野】
【０００１】
本発明は、換気機能を備えた吸排気装置、およびそれを備えた空気調和機に関する。
【背景技術】
【０００２】
従来、外気と室内空気との換気機能を備えた空気調和機が知られている。特許文献１に開示されている空気調和機は、室内機の内部に吸排気装置としての換気手段を備えている。換気手段は、遠心ファンを有し、遠心ファンが回転することにより、吸込み口から吸い込んだ空気を排気ダクトを介して室外へ排気するようになっている。【０００３】
また、特許文献２に開示されている空気調和機は、室内機の内部に吸排気装置としての送風装置を備えている。送風装置は、遠心ファンを有し、遠心ファンが回転することにより、室内空気を室外へ排気し、かつ室外空気を室内へ取り込むようになっている。
【先行技術文献】
【特許文献】
【０００４】
【特許文献１】日本国特許公報「特許第４６７０５９３号公報」
【特許文献２】日本国特許公報「特許第４３９２３１０号公報」
【発明の概要】
【発明が解決しようとする課題】
【０００５】
しかしながら、上記従来技術の構成では、吸排気装置に専用の遠心ファン、および遠心ファンを回転させるファンモータが必要である。また、ファンモータは、大きなパワーが必要であり大型になる。このため、吸排気装置が大型化し、空気調和機の室内機の内部に吸排気装置の大きな設置スペースが必要であるという問題点を有している。【０００６】
本発明の一態様は、小型化でき、設置スペースを小さくすることができる吸排気装置およびそれを備えた空気調和機を実現することを目的とする。
【課題を解決するための手段】
【０００７】
上記の課題を解決するために、本発明の一態様に係る吸排気装置は、送風ファンを有し、前記送風ファンの回転により相対的な高圧領域、低圧領域および中圧領域が生じる、空気調和機の室内機に備えられ、内部空間を有する筐体部を有し、前記筐体部に、前記高圧領域と通気できるように配置される排気口、前記低圧領域と通気できるように配置される吸気口、および前記中圧領域と通気できるように配置される吸排気口を有する状態切替え部材を備え、前記状態切替え部材は、通常状態、吸気状態および排気状態に切り替え可能であり、前記排気口、前記吸気口および前記吸排気口のうち、前記通常状態では、前記排気口、前記吸気口および前記吸排気口が互いに前記内部空間を通じて通気不可となり、前記吸気状態では、前記吸排気口および前記吸気口のみが前記内部空間を通じて互いに通気可となり、前記排気状態では、前記吸排気口および前記排気口のみが前記内部空間を通じて互いに通気可となる。
【発明の効果】
【０００８】
本発明の一態様によれば、吸排気装置を小型化でき、吸排気装置の設置スペースを小さくすることができる。
【図面の簡単な説明】
【０００９】
【図１】本発明の実施形態の空気調和機の室内機の正面図である。
【図２】上記室内機の図１におけるＡ−Ａ断面図である。
【図３】上記室内機の図１におけるＢ−Ｂ断面図である。
【図４】上記室内機の図１におけるＣ−Ｃ断面図である。
【図５】図５の（ａ）は、上記室内機が備える吸排気装置の平面図、図５の（ｂ）は、上記吸排気装置の側面図である。
【図６】図６の（ａ）は、図５の（ａ）（ｂ）に示した吸排気装置の斜視図、図６の（ｂ）は、図６の（ａ）に示した吸排気装置の分解斜視図である。
【図７】図７の（ａ）は、図５の（ａ）（ｂ）に示した吸排気装置２１を、図６の（ａ）とは反対の方向から見た場合の斜視図、図７の（ｂ）は、図７の（ａ）に示した吸排気装置２１の分解斜視図である。
【図８】上記室内機の室内機本体部の吸排気装置が設けられている部分を前方から見た場合の斜視図である。
【図９】上記室内機の室内機本体部の吸排気装置が設けられている部分を上方から見た場合の斜視図である。
【図１０】上記室内機の室内機本体部の吸排気装置が設けられている部分を後方から見た場合の斜視図である。
【図１１】図１１の（ａ）は、通常モードの上記吸排気装置を示す正面図、図１１の（ｂ）は、図１１の（ａ）におけるＤ−Ｄ断面図である。
【図１２】図１２の（ａ）は、吸気モードの上記吸排気装置を示す正面図、図１２の（ｂ）は、図１２の（ａ）におけるＥ−Ｅ断面図である。
【図１３】図１３の（ａ）は、排気モードの上記吸排気装置を示す正面図、図１３の（ｂ）は、図１３の（ａ）におけるＦ−Ｆ断面図である。
【図１４】本実施形態の空気調和機の制御装置の構成を示すブロック図である。
【図１５】上記室内機の吸気モードの状態の図１におけるＣ−Ｃ断面図である。
【図１６】上記室内機の排気モードの状態の図１におけるＣ−Ｃ断面図である。
【図１７】図１７の（ａ）は、本発明の他の実施形態の吸排気装置の斜視図、図１７の（ｂ）は、図１７の（ａ）に示した吸排気装置の分解斜視図である。
【図１８】図１８の（ａ）は、本発明のさらに他の実施形態の吸排気装置の斜視図、図１８の（ｂ）は、図１８の（ａ）に示した吸排気装置の分解斜視図である。
【図１９】図１９の（ａ）は、本発明のさらに他の実施形態の吸排気装置の通常モードの状態の平面図、図１９の（ｂ）は、図１９の（ａ）に示した吸排気装置の正面図、図１９の（ｃ）は、上記吸排気装置の図１９の（ｂ）におけるＫ−Ｋ断面図、図１９の（ｄ）は、図１９の（ｂ）に示した吸排気装置の側面図である。
【図２０】図２０の（ａ）は、図１９の（ａ）に示した吸排気装置の吸気モードの状態の平面図、図２０の（ｂ）は、図２０の（ａ）に示した吸排気装置の正面図、図２０の（ｃ）は、上記吸排気装置の図２０の（ｂ）におけるＪ−Ｊ断面図、図２０の（ｄ）は、図２０の（ｂ）に示した吸排気装置の側面図である。
【図２１】図２１の（ａ）は、図１９の（ａ）に示した吸排気装置の排気モードの状態の平面図、図２１の（ｂ）は、図２１の（ａ）に示した吸排気装置の正面図、図２１の（ｃ）は、上記吸排気装置の図２１の（ｂ）におけるＪ−Ｊ断面図、図２０の（ｄ）は、図２０の（ｂ）に示した吸排気装置の側面図である。
【発明を実施するための形態】
【００１０】
〔実施形態１〕
本発明の実施形態を図面に基づいて以下に説明する。
【００１１】
（室内機１の構成）
図１は、本実施形態の空気調和機の室内機１の正面図である。図２は、上記室内機１の図１におけるＡ−Ａ断面図である。図３は、上記室内機１の図１におけるＢ−Ｂ断面図である。図４は、上記室内機１の図１におけるＣ−Ｃ断面図である。
【００１２】
図１から図４に示すように、空気調和機の室内機（以下、単に室内機と称する）１は、室内機本体部２の前面に導風パネル３を備えている。室内機本体部２は、下部に吸込口１１を有し、内部に送風ファン１２および熱交換器１３を有し、前部に吹出口１４を有している。
【００１３】
送風ファン１２は、本実施形態においてシロッコファンであり、ファンカバー部材１５の内部に設けられている。熱交換器１３の下にはドレンパン１６が設けられ、吸込口１１の内部（上側）にはフィルタ１７が設けられている。
【００１４】
室内機１では、送風ファン１２が回転すると、吸込口１１から空気が吸い込まれ、この空気は、フィルタ１７を経て、送風ファン１２により熱交換器１３に吹き付けられる。さらに、熱交換器１３に吹き付けられた空気は、熱交換器１３を通過し、吹出口１４から吹き出される。
【００１５】
したがって、送風ファン１２が回転すると、図３に示すように、送風ファン１２の周りは、室内機本体部２内において相対的に圧力が低い低圧領域１８となり、送風ファン１２と熱交換器１３との間の領域は、室内機本体部２内において相対的に圧力が高い高圧領域１９となる。
【００１６】
図２および図４に示すように、送風ファン１２は、室内機本体部２の左右位置に合計２個設けられ、これら送風ファン１２はこれら２個の送風ファン１２の間に設けられた１個のファンモータ２０にて駆動される。ファンモータ２０は左右に駆動軸を有する両軸のモータであり、これら駆動軸は、左右の送風ファン１２の軸と連結されている。
【００１７】
（吸排気装置２１の構成）
図５の（ａ）は、室内機１が備える吸排気装置２１の平面図、図５の（ｂ）は、上記吸排気装置２１の側面図である。図６の（ａ）は、図５の（ａ）（ｂ）に示した吸排気装置２１の斜視図、図６の（ｂ）は、図６の（ａ）に示した吸排気装置２１の分解斜視図である。図７の（ａ）は、図５の（ａ）（ｂ）に示した吸排気装置２１を、図６の（ａ）とは反対の方向から見た場合の斜視図、図７の（ｂ）は、図７の（ａ）に示した吸排気装置２１の分解斜視図である。図８は、室内機本体部２の吸排気装置２１が設けられている部分を前方から見た場合の斜視図である。図９は、室内機本体部２の吸排気装置２１が設けられている部分を上方から見た場合の斜視図である。図１０は、室内機本体部２の吸排気装置２１が設けられている部分を後方から見た場合の斜視図である。図１１の（ａ）は、通常モードの吸排気装置２１を示す正面図、図１１の（ｂ）は、図１１の（ａ）におけるＤ−Ｄ断面図である。図１２の（ａ）は、吸気モードの吸排気装置２１を示す正面図、図１２の（ｂ）は、図１２の（ａ）におけるＥ−Ｅ断面図である。図１３の（ａ）は、排気モードの吸排気装置２１を示す正面図、図１３の（ｂ）は、図１３の（ａ）におけるＦ−Ｆ断面図である。
【００１８】
室内機１は、図２および図４に示すように、室内機本体部２に吸排気装置２１を備えている。吸排気装置２１は、室内機本体部２の左右方向の一端部に設けられている。吸排気装置２１は、図５の（ａ）（ｂ）〜図７の（ａ）（ｂ）に示すように、切替えモータ３１、筐体主部３２、筐体副部３３、回転切替え部材３４（図６の（ｂ）、図７の（ｂ）参照）および吸排気管３５を備えている。
【００１９】
切替えモータ３１は、例えばステッピングモータからなり、回転切替え部材３４を回転させる。切替えモータ３１は、筐体副部３３に固定されている。筐体主部３２と筐体副部３３とは嵌合可能であり、嵌合して吸排気装置２１の吸排気筐体（筐体部）３６を形成する。筐体主部３２は側面に吸排気口３６ｄを有し、この吸排気口３６ｄには、吸排気管３５が接続されている。
【００２０】
吸排気筐体３６は、排気口３６ａおよび吸気口３６ｂ（図６の（ｂ）、図７の（ｂ）参照）を有する。排気口３６ａは、吸排気筐体３６の内部への室内空気の流入口、すなわち室外への室内空気（室内機１の内部の空気）の流出口である。吸気口３６ｂは、吸排気筐体３６の内部からの室外空気の流出口、すなわち室内（室内機１の内部）への室外空気の流入口である。
【００２１】
回転切替え部材３４は、吸排気筐体３６の内部に配置され、切替えモータ３１に駆動されて回転する。回転切替え部材３４は、図６の（ｂ）および図７の（ｂ）に示すように、回転切替え部材３４の回転に応じて、排気口３６ａおよび吸気口３６ｂを開閉する排気口・吸気口開閉部３４ａ、および吸排気口３６ｄを開閉する吸排気口開閉部３４ｂを有する。さらに、回転切替え部材３４は、仕切部３４ｃ（図７の（ｂ）、図１１の（ｂ）参照）を有している。
【００２２】
排気口・吸気口開閉部３４ａは、回転切替え部材３４の外周を仮に円筒形と見た場合、１／４周分の円筒部分に相当した形状を有する。吸排気口開閉部３４ｂは、回転切替え部材３４の筐体主部３２側の端部に排気口・吸気口開閉部３４ａと隣り合って位置し、中心角が９０°の扇形の平板形状を有する。仕切部３４ｃは、回転切替え部材３４の中心を通るように設けれ、回転切替え部材３４の軸方向に延びる平板形状の板部である。仕切部３４ｃは、回転切替え部材３４の内部を、排気口・吸気口開閉部３４ａおよび吸排気口開閉部３４ｂが存在する領域と、排気口・吸気口開閉部３４ａおよび吸排気口開閉部３４ｂが存在しない領域とを仕切っている。
【００２３】
これにより、回転切替え部材３４は、回転することにより、通常モード位置（通常状態）、吸気モード位置（吸気状態）および排気モード位置（排気状態）を採り得るようになっている。
【００２４】
通常モード位置は、排気口・吸気口開閉部３４ａによって排気口３６ａを塞ぎ、吸排気口開閉部３４ｂによって吸排気口３６ｄを塞き、かつ吸気口３６ｂを開放した状態とする位置である（図１１の（ｂ）参照）。
【００２５】
吸気モード位置は、排気口・吸気口開閉部３４ａが通常モード位置から９０°回転し、吸排気口３６ｄと吸気口３６ｂとを通気可能とし、排気口３６ａと吸排気口３６ｄおよび吸気口３６ｂとの通気を遮断する位置である（図１２の（ｂ）参照）。
【００２６】
排気モード位置は、排気口・吸気口開閉部３４ａが吸気モード位置から同方向へ９０°回転し、排気口３６ａと吸排気口３６ｄとの通気を可能とし、仕切部３４ｃによって、排気口３６ａおよび吸排気口３６ｄと吸気口３６ｂとの通気を遮断する位置である（図１３の（ｂ）参照）。
【００２７】
（空気調和機の制御装置）
図１４は、本実施形態の空気調和機の制御装置の構成を示すブロック図である。図１４に示すように、空気調和機の制御装置は、例えばマイクロコンピュータからなる制御部４１および記憶部４２を備えている。制御部４１には受信部４３が接続され、受信部４３は、ユーザが操作するリモートコントローラ（以下、単にリモコンと称する）４４からの指令を受信する。リモコン４４では、室内機１を備えた空気調和機に対して空調モードの設定が可能である。また、リモコン４４では、室内機１に対し、吸排気モードとして、通常モード、吸気モードおよび排気モードの設定が可能である。なお、空調モードは、冷房または暖房等を行うモードである。
【００２８】
制御部４１は、リモコン４４からの指令に応じて、空調部４５、ファンモータ２０および切替えモータ３１の動作を制御する。
【００２９】
空調部４５は、冷凍サイクルを実行する部分であり、蒸発器、凝縮機および圧縮機等、冷凍サイクルを実行するための構成を有する。空調部４５は、室内機１および室外機４６に亘って構成されている。
【００３０】
記憶部４２は、吸排気装置２１の回転切替え部材３４を通常モード位置、吸気モード位置および排気モード位置に配置する場合の切替えモータ３１に対する制御内容を記憶している。また、記憶部４２は、制御部４１の制御により、運転停止直前の運転モードや温度設定、リモコン４４によって設定された運転モードや設定温度を記憶する。
【００３１】
（吸排気装置２１および室内機１の動作）
上記の構成において、本実施形態の空気調和機の動作について以下に説明する。図１５は、室内機１の吸気モードの状態の図１におけるＣ−Ｃ断面図である。図１６は、室内機１の排気モードの状態の図１におけるＣ−Ｃ断面図である。
【００３２】
空気調和機が空調モードの場合、送風ファン１２が回転することにより、図４に示すように、送風ファン１２の周りは低圧領域１８となり、送風ファン１２と熱交換器１３との間は、高圧領域１９となる。この点は、図３によって前述したとおりである。なお、吸排気装置２１の吸排気管３５の周りは、中圧領域（大気圧領域）３７である。
【００３３】
（通常モード）
室内機１（吸排気装置２１）の吸排気モードは、空気調和機が空調モードの場合、通常モードとなる。この場合、吸排気装置２１では、図１１の（ａ）（ｂ）に示すように、回転切替え部材３４は、切替えモータ３１に駆動されて通常モード位置に回転する。切替えモータ３１の回転は、制御部４１にて制御される。この点は、吸気モードおよび排気モードの場合も同様である。
【００３４】
通常モード位置では、吸排気装置２１は、排気口・吸気口開閉部３４ａによって吸気口３６ｂを塞ぎ、吸排気口開閉部３４ｂによって吸排気口３６ｄを塞き、かつ吸気口３６ｂを開放した状態とする。これにより、室内機１では、図４に示すように、吸排気装置２１による室外の空気の吸気、および室内の空気の排気は行われない。
【００３５】
（吸気モード）
室内機１は、空調モードが停止している場合に、吸排気モードを吸気モードに設定することができる。ただし、送風ファン１２は回転する。吸気モードの場合、吸排気装置２１では、図１２の（ａ）（ｂ）に示すように、回転切替え部材３４は、切替えモータ３１に駆動されて吸気モード位置に回転する。
【００３６】
吸気モード位置では、回転切替え部材３４は、吸排気口３６ｄと吸気口３６ｂとの通気可能とし、排気口３６ａと吸排気口３６ｄおよび吸気口３６ｂとの通気を遮断する。これにより、室内機１では、図１５に示すように、中圧領域３７の空気、すなわち外気が吸排気管３５および吸排気口３６ｄから吸排気筐体３６の内部に入り込み、吸気口３６ｂから送風ファン１２の周りの低圧領域１８に流出する。この空気は、送風ファン１２によって吹出口１４から室内へ吹き出される。このように、吸気モードでは、外気が吸排気装置２１を介して室内機１の内部に取り込まれ、室内へ供給される。
【００３７】
（排気モード）
室内機１は、空調モードが停止している場合に、吸排気モードを排気モードに設定することができる。ただし、送風ファン１２は回転する。排気モードの場合、吸排気装置２１では、図１３の（ａ）（ｂ）に示すように、回転切替え部材３４は、切替えモータ３１に駆動されて排気モード位置に回転する。
【００３８】
排気モード位置では、回転切替え部材３４は、排気口３６ａと吸排気口３６ｄとの通気を可能とし、仕切部３４ｃによって、排気口３６ａおよび吸排気口３６ｄと吸気口３６ｂとの通気を遮断する。これにより、室内機１では、図１６に示すように、高圧領域１９の空気、すなわち吸込口１１から室内機１の内部へ取り込まれた室内空気が、排気口３６ａから吸排気筐体３６の内部に入り込み、吸排気口３６ｄおよび吸排気管３５から中圧領域３７へ流出する。このように、排気モードでは、室内の空気が吸排気装置２１を介して室外へ排出される。
【００３９】
（吸排気装置２１および室内機１の利点）
吸排気装置２１は、送風ファン１２の回転によって生じる圧力差を利用して吸排気を行う構成であり、吸排気用の専用のファンが不要となっている。これにより、吸排気装置２１は、室内機１での設置スペースを小さくすることができる。また、吸排気装置２１は、吸排気モードに応じて回転切替え部材３４を所定位置に回転させる切替えモータ３１として、低トルクの小型のステッピングモータを使用することができる。したがって、これによっても設置スペースを小さくすることができる。また、吸排気装置２１は、専用のファンが不要であること、および切替えモータ３１として廉価なステッピングモータを使用できることから、低コストの構成とすることができる。以上により、吸排気装置２１を備えた室内機１は、小型かつ低コストの構成とすることができる。
【００４０】
なお、本実施形態では、吸排気装置２１は、空気調和機が空調機能を停止している状態において、吸気または排気を行う構成として説明した。しかしながら、吸排気装置２１は、送風ファン１２が回転していれば吸気または排気を行うことができる。したがって、吸排気装置２１は、空気調和機が送風ファン１２を回転させて空調機能を行っている状態でも吸気または排気を行う構成としてもよい。この点は、以下の他の実施形態においても同様である。
【００４１】
〔実施形態２〕
本発明の他の実施形態を図面に基づいて以下に説明する。なお、説明の便宜上、上記実施形態にて説明した部材と同じ機能を有する部材については、同じ符号を付記し、その説明を繰り返さない。
【００４２】
（吸排気装置２２の構成）
図１７の（ａ）は、本実施形態の吸排気装置２２の斜視図、図１７の（ｂ）は、図１７の（ａ）に示した吸排気装置２２の分解斜視図である。
【００４３】
本実施形態の室内機１は、前記吸排気装置２１に代えて、図１７の（ａ）（ｂ）に示す吸排気装置２２を備えている。前記吸排気装置２１は、切替えモータ３１の駆動力を回転切替え部材３４に直接伝えて回転切替え部材３４を回転させていた。これに対し、吸排気装置２２は、切替えモータ３１の駆動力を互いに噛み合う第１ギヤ５１および第２ギヤ５２を介して回転切替え部材３４に伝え、回転切替え部材３４を回転させている。したがって、吸排気装置２２では、第１ギヤ５１の軸穴に切替えモータ３１の駆動軸が嵌合し、第２ギヤ５２の軸穴に回転切替え部材３４の中心軸３４ｄが嵌合している。
【００４４】
筐体副部３３は上部に上方へ延びた延設部３３ａを有し、この延設部３３ａは、第１ギヤ５１の歯面を覆っている。切替えモータ３１は延設部３３ａに固定されている。また、筐体副部３３は、内部に第１ギヤ５１および第２ギヤ５２を収容できるように、吸排気装置２１の筐体副部３３よりも軸方向の幅が大きくなっている。吸排気装置２２のその他の構成は吸排気装置２１と同様である。
【００４５】
また、吸排気装置２２および吸排気装置２２を備えた室内機１の動作、並びに吸排気装置２２および吸排気装置２２を備えた室内機１の利点は、吸排気装置２１の場合と同様である。
【００４６】
〔実施形態３〕
本発明のさらに他の実施形態を図面に基づいて以下に説明する。なお、説明の便宜上、上記実施形態にて説明した部材と同じ機能を有する部材については、同じ符号を付記し、その説明を繰り返さない。
【００４７】
（吸排気装置２３の構成）
図１８の（ａ）は、本実施形態の吸排気装置２３の斜視図、図１８の（ｂ）は、図１８の（ａ）に示した吸排気装置２３の分解斜視図である。
【００４８】
本実施形態の室内機１は、前記吸排気装置２１に代えて、図１８の（ａ）（ｂ）に示す吸排気装置２３を備えている。前記吸排気装置２１は、切替えモータ３１の駆動力を回転切替え部材３４に直接伝えて回転切替え部材３４を回転させていた。これに対し、吸排気装置２３は、切替えモータ３１の駆動力を第１ギヤ５１、第２ギヤ５２、およびこれら第１ギヤ５１と第２ギヤ５２との間の第３ギヤ５３を介して回転切替え部材３４に伝え、回転切替え部材３４を回転させている。したがって、吸排気装置２３では、第１ギヤ５１の軸穴に切替えモータ３１の駆動軸が嵌合し、第２ギヤ５２の軸穴に回転切替え部材３４の中心軸３４ｄが嵌合し、第３ギヤ５３が第１ギヤ５１および第２ギヤ５２と噛み合っている。
【００４９】
筐体副部３３は、上部に上方へ延びた延設部３３ａを有し、この延設部３３ａは、第１ギヤ５１から第３ギヤ５３の歯面を覆っている。切替えモータ３１は、吸排気装置２２とは異なり、筐体主部３２側に配置されている。吸排気装置２３のその他の構成は吸排気装置２１と同様である。
【００５０】
また、吸排気装置２３および吸排気装置２３を備えた室内機１の動作、並びに吸排気装置２３および吸排気装置２３を備えた室内機１の利点は、吸排気装置２１の場合と同様である。
【００５１】
〔実施形態４〕
本発明のさらに他の実施形態を図面に基づいて以下に説明する。なお、説明の便宜上、上記実施形態にて説明した部材と同じ機能を有する部材については、同じ符号を付記し、その説明を繰り返さない。
【００５２】
（吸排気装置２４の構成）
図１９の（ａ）は、本実施形態の吸排気装置２４の通常モードの状態の平面図、図１９の（ｂ）は、図１９の（ａ）に示した吸排気装置２４の正面図、図１９の（ｃ）は、上記吸排気装置２４の図１９の（ｂ）におけるＫ−Ｋ断面図、図１９の（ｄ）は、図１９の（ｂ）に示した吸排気装置２４の側面図である。図２０の（ａ）は、本実施形態の吸排気装置２４の吸気モードの状態の平面図、図２０の（ｂ）は、図２０の（ａ）に示した吸排気装置２４の正面図、図２０の（ｃ）は、上記吸排気装置２４の図２０の（ｂ）におけるＪ−Ｊ断面図、図２０の（ｄ）は、図２０の（ｂ）に示した吸排気装置２４の側面図である。図２１の（ａ）は、本実施形態の吸排気装置２４の排気モードの状態の平面図、図２１の（ｂ）は、図２１の（ａ）に示した吸排気装置２４の正面図、図２１の（ｃ）は、上記吸排気装置２４の図２１の（ｂ）におけるＪ−Ｊ断面図、図２０の（ｄ）は、図２０の（ｂ）に示した吸排気装置２４の側面図である。
【００５３】
本実施形態の室内機１は、前記吸排気装置２１に代えて、図１９に示す吸排気装置２４を備えている。吸排気装置２４は外筒部（筐体部）６１および内筒部（筐体部）６２を備えている。内筒部６２は外筒部６１の内側に嵌合しており、外筒部６１と内筒部６２とは相対的に軸方向へスライド可能である。外筒部６１は、軸方向の一端部が閉塞部６１ａとなっており、同様に、内筒部６２は、外筒部６１の閉塞部６１ａと同じ側の端部が閉塞部６２ａとなっている。
【００５４】
外筒部６１の周壁部（筒状部分の壁部）には、図１９の（ｃ）に示すように、軸方向の閉塞部６１ａ側の位置に、外筒吸気口６１ｂが形成され、軸方向の閉塞部６１ａとは反対側の位置に、外筒排気口６１ｃが形成されている。外筒吸気口６１ｂと外筒排気口６１ｃとは、側面の外周方向において、例えば１８０°離れている。
【００５５】
一方、内筒部６２の側面（外周面）には、図１９の（ｃ）に示すように、軸方向の閉塞部６２ａ側の位置に、内筒吸気口６２ｂおよび内筒排気口６２ｃが形成されている。内筒吸気口６２ｂは、内筒部６２が外筒部６１の内方へスライドしたときに、外筒部６１の外筒吸気口６１ｂとつながるようになっている（通気可能となっている）。また、内筒排気口６２ｃは、内筒部６２が外筒部６１の外方へスライドしたときに、外筒部６１の外筒排気口６１ｃとつながるようになっている（通気可能となっている）。また、内筒部６２の開放側の端部は吸排気口６２ｄとなっている。
【００５６】
吸排気装置２４の各部と前述した吸排気装置２１の各部との対応関係を示すと、外筒吸気口６１ｂは吸気口３６ｂに対応し、外筒排気口６１ｃは排気口３６ａに対応し、吸排気口６２ｄは吸排気口３６ｄに対応する。また、内筒部６２は切替え部材３４に対応する。したがって、吸排気装置２４は、例えば図４に示した室内機１において、外筒吸気口６１ｂが低圧領域１８に位置し、外筒排気口６１ｃが高圧領域１９に位置するように配置される。また、吸排気口６２ｄには吸排気管３５が接続され、その吸排気管３５の端部が中圧領域３７に位置するように配置される。
【００５７】
外筒部６１と内筒部６２との相対的なスライドは、駆動部としてのソレノイド、あるいはモータ、ラックギヤおよびピニオンギヤによって行うことができる。したがって、図１４に示した切替えモータ３１は、吸排気装置２４の駆動部と理解することができる。
【００５８】
なお、本実施形態において、外筒部６１および内筒部６２は、円筒形状としているが、筒形状であればよく、円筒形状に限定されない。
【００５９】
（吸排気装置２４および室内機１の利点）
吸排気装置２４は、外筒部６１と内筒部６２とを備え、外筒部６１と内筒部６２を相対的にスライドさせて吸排気モードを切り替えるという非常に簡素な構成である。これにより、吸排気装置２４は、吸排気装置２１と同様、設置スペースを小さくでき、かつ低コストの構成とすることができる。したがって、吸排気装置２４を備えた室内機１は、小型かつ低コストの構成とすることができる。
【００６０】
〔まとめ〕
本発明の態様１に係る吸排気装置は、送風ファンを有し、前記送風ファンの回転により相対的な高圧領域、低圧領域および中圧領域が生じる、空気調和機の室内機に備えられ、内部空間を有する筐体部を有し、前記筐体部に、前記高圧領域と通気できるように配置される排気口、前記低圧領域と通気できるように配置される吸気口、および前記中圧領域と通気できるように配置される吸排気口を有する状態切替え部材を備え、前記状態切替え部材は、通常状態、吸気状態および排気状態に切り替え可能であり、前記排気口、前記吸気口および前記吸排気口のうち、前記通常状態では、前記排気口、前記吸気口および前記吸排気口が互いに前記内部空間を通じて通気不可となり、前記吸気状態では、前記吸排気口および前記吸気口のみが前記内部空間を通じて互いに通気可となり、前記排気状態では、前記吸排気口および前記排気口のみが前記内部空間を通じて互いに通気可となる。
【００６１】
本発明の態様２に係る吸排気装置は、上記態様１において、前記状態切替え部材を駆動する駆動部と、前記状態切替え部材が、前記通常状態、前記吸気状態または前記排気状態に切り替わるように、前記駆動部を制御する制御部とを備えている構成としてもよい。
【００６２】
本発明の態様３に係る吸排気装置は、上記態様２において、前記状態切替え部材は、
前記筐体部の内部に回転可能に設けられ、回転位置に応じて前記通常状態、前記吸気状態または前記排気状態を形成する回転切替え部材を備え、前記駆動部は、前記回転切替え部材を回転させる構成としてもよい。
【００６３】
本発明の態様４に係る吸排気装置は、上記態様３において、前記筐体部は、前記回転切替え部材の外周部と対向する位置に前記排気口および前記吸気口を有し、前記回転切替え部材の軸方向と交差する側面と対向する位置に前記吸排気口を有し、前記回転切替え部材は、外周部に、前記排気口と前記吸気口とを個別に開閉する排気口・吸気口開閉部を有し、周方向の前記排気口・吸気口開閉部と隣り合う位置の前記側面に前記吸排気口を開閉する吸排気口開閉部を有し、回転切替え部材３４の内部を、前記排気口・吸気口開閉部および前記吸排気口開閉部が存在する領域と、前記吸排気口開閉部および前記吸排気口開閉部とが存在しない領域とに軸方向に仕切る仕切部を有している構成としてもよい。
【００６４】
本発明の態様５に係る吸排気装置は、上記態様２において、前記状態切替え部材は、一端部が閉塞部である外筒部と、前記外筒部の内側に嵌合し、前記外筒部に対して軸方向へ相対的にスライド動作が可能であり、外筒部の閉塞部と同じ側の端部が閉塞部である内筒部とを有し、前記外筒部は、筒状の周壁部の軸方向へ互いにずれた位置に外筒吸気口と外筒排気口とを有し、前記内筒部は、筒状の周壁部に内筒吸気口および内筒排気口を有し、軸方向の開放側の端部が吸排気口となっており、前記外筒部と前記内筒部とは、前記外筒部を構成し、前記スライド動作により、前記通常状態では、前記外筒吸気口および外筒排気口が前記内筒部の外周面にて塞がれ、前記吸気状態では、前記外筒吸気口と前記内筒吸気口とが通気可となり、かつ外筒排気口が前記内筒部の外周面にて塞がれ、前記排気状態では、前記外筒排気口が前記内筒排気口と通気可となり、かつ前記外筒吸気口が前記内筒部の外周面にて塞がれ、前記駆動部は、前記外筒部と前記内筒部との少なくとも一方を駆動し、前記スライド動作を行わせる構成としてもよい。
【００６５】
本発明の態様６に係る空気調和機は、上記態様１から５のうちのいずれか１態様の吸排気装置を室内機に備えている。
【００６６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００６７】
１    室内機
２    室内機本体部
３    導風パネル
１１    吸込口
１２    送風ファン
１３    熱交換器
１４    吹出口
１７    フィルタ
１８    低圧領域
１９    高圧領域
２０    ファンモータ
２１〜２４    吸排気装置
３１    切替えモータ
３２    筐体主部
３３    筐体副部
３４    回転切替え部材
３４ａ  排気口・吸気口開閉部
３４ｂ  吸排気口開閉部
３４ｃ  仕切部
３４ｄ  中心軸
３５    吸排気管
３６    吸排気筐体（筐体部）
３６ａ  排気口
３６ｂ  吸気口
３６ｄ  吸排気口
３７    中圧領域
４１    制御部
６１    外筒部（筐体部）
６１ａ  閉塞部
６１ｂ  外筒吸気口
６１ｃ  外筒排気口
６２    内筒部（筐体部）
６２ａ  閉塞部
６２ｂ  内筒吸気口
６２ｃ  内筒排気口
６２ｄ  吸排気口
【図１】
2019234996.tif 000003
【図２】
2019234996.tif 000004
【図３】
2019234996.tif 000005
【図４】
2019234996.tif 000006
【図５】
2019234996.tif 000007
【図６】
2019234996.tif 000008
【図７】
2019234996.tif 000009
【図８】
2019234996.tif 000010
【図９】
2019234996.tif 000011
【図１０】
2019234996.tif 000012
【図１１】
2019234996.tif 000013
【図１２】
2019234996.tif 000014
【図１３】
2019234996.tif 000015
【図１４】
2019234996.tif 000016
【図１５】
2019234996.tif 000017
【図１６】
2019234996.tif 000018
【図１７】
2019234996.tif 000019
【図１８】
2019234996.tif 000020
【図１９】
2019234996.tif 000021
【図２０】
2019234996.tif 000022
【図２１】
2019234996.tif 000023
【国際調査報告】
2019234996.tif 000024
2019234996.tif 000025
2019234996.tif 000026